(57)【要約】【課題】脱臭効果の飛躍的な向上を図った脱臭装置を提供することを目的とする。【解決手段】空気の吸気口２を下部前面に、空気の吹出口３を上面にそれぞれ設けた本体ケース１と、本体ケース内にそれぞれ設け、吸気口２からの空気を通すことで空気中に含まれる臭気を除去する脱臭素子４と、空気を吸気口２から吸引し、吹出口３から吹出して脱臭素子４に還流させる送風機５と、送風機を制御する制御部６を備え、前記送風機５の吸い込み側、または吹出し側の流路に概ね平行に、前記脱臭素子４を設けたものである。これにより、脱臭素子４を通過する流速を均一化し、脱臭素子４の全体を有効に利用することで脱臭素子４の寿命を向上し、また通過臭気が均一に脱臭されることにより脱臭効果の飛躍的な向上が図れる。【選択図】図１
2005230042.tif 000002
【特許請求の範囲】
【請求項１】
空気の吸気口と、空気の吹出口をそれぞれ設けた本体ケースと、前記本体ケース内に設け、前記吸気口からの空気を通すことで空気中に含まれる臭気を除去する脱臭素子と、空気を前記吸気口から吸引し、前記吹出口から吹出して前記脱臭素子に還流させる送風機と、前記送風機を制御する制御部とを備え、前記送風機の吸い込み側、または吹出し側の流路に概ね平行に、前記脱臭素子を設けた脱臭装置。
【請求項２】
送風機の吸い込み側または吹出し側の流路は、流路と概ね平行に置かれた脱臭素子との間隔を、吸い込み側流路の上流側、または吹出し側流路の下流側に行くに従い流路の幅を徐々に狭めた構成となるようにした請求項１に記載の脱臭装置。
【請求項３】
脱臭素子は、ハニカム状の吸着素子を用いた請求項１または２に記載の脱臭装置。
【請求項４】
脱臭素子は、空気の通気方向を薄く構成したハニカム体とし、前記ハニカム体の通気面積を前記ハニカム体の通気方向の厚みで除した値を３０００以上に設定してなる請求項３に記載の脱臭装置。
【請求項５】
ハニカム状の脱臭素子は、１インチ角当たりのセル数が２５０以下とした請求項３または４に記載の脱臭装置。
【請求項６】
送風機は、クロスフローファンを用いてなる請求項１〜５のいずれか１項に記載の脱臭装置。
【発明の詳細な説明】
【技術分野】
【０００１】
本発明は臭気を除去する脱臭装置に関するものである。
【背景技術】
【０００２】
従来の臭気を吸引し一定の空間の脱臭を行う脱臭装置は、本体の前面の比較的広い範囲から拡散された室内臭気を吸引し、脱臭を行っている（例えば、特許文献１参照）。
【０００３】
これは、図３に示すように、送風機３０が送風モータ３１により回転し、矢印で示すように吸気口３２から室内空気を吸い込み、脱臭素子３３で臭気を除去し、ケーシング３４の風路を通って排出される構成になっている。そして、ケーシング３４の風路の圧力損失を小さくし、吸引空気の脱臭素子１６との接触面積を広くとるため、脱臭素子３３がケーシング３４の前面全体に略対応する大きさに構成されている。一方、脱臭素子３３に対応した吸気口３２もケーシング３４の前面全体に略対応する大きさで広くなり、本体をなすケーシング３４の正面前面が吸気口となっている。
【特許文献１】特開２００１−３４０４３８号公報
【発明の開示】
【発明が解決しようとする課題】
【０００４】
しかしながら、前記従来の構成では、送風機３０による吸気流れが送風機３０の外周側と中心部では大きく異なる。特に、脱臭素子３３の圧力損失が小さいほど流路が脱臭素子の一部に偏在する。すなわち、脱臭素子１６を通過する流速が不均一となり、脱臭素子の脱臭効果を十分に引き出せない構成となっていた。
【０００５】
本発明は、前記従来の課題を解決するもので、脱臭素子を通過する流速を均一化し、脱臭素子の寿命を向上し、脱臭効果の飛躍的な向上を図った脱臭装置を提供することを目的とする。
【課題を解決するための手段】
【０００６】
前記従来の課題を達成するために、本発明の脱臭装置は、空気中に含まれる臭気を除去する脱臭素子を、送風機の吸い込み側、または吹出し側の流路に概ね平行に設けたものである。
【０００７】
これにより、脱臭素子を通過する流速を均一化し、脱臭素子の全体を有効に利用することで脱臭素子の寿命を向上し、また通過臭気が均一に脱臭されることにより脱臭効果の飛躍的な向上が図れるものである。
【発明の効果】
【０００８】
本発明の脱臭装置は、脱臭素子を通過する流速を均一化し、脱臭素子の全体を有効に利用することで脱臭素子の寿命を向上し、また通過臭気が均一に脱臭されることにより脱臭効果の飛躍的な向上が図れる。
【発明を実施するための最良の形態】
【０００９】
第１の発明は、空気の吸気口と、空気の吹出口をそれぞれ設けた本体ケースと、前記本体ケース内に設け、前記吸気口からの空気を通すことで空気中に含まれる臭気を除去する脱臭素子と、空気を前記吸気口から吸引し、前記吹出口から吹出して前記脱臭素子に還流させる送風機と、前記送風機を制御する制御部とを備え、前記送風機の吸い込み側、または吹出し側の流路に概ね平行に、前記脱臭素子を設けた脱臭装置とすることにより、脱臭素子を通過する流速を均一化し、脱臭素子の全体を有効に利用することで脱臭素子の寿命を向上し、また通過臭気が均一に脱臭されることにより脱臭効果の飛躍的な向上が図れる。
【００１０】
第２の発明は、特に、第１の発明における送風機の吸い込み側または吹出し側の流路は、流路と概ね平行に置かれた脱臭素子との間隔を、吸い込み側流路の上流側、または吹出し側流路の下流側に行くに従い流路の幅を徐々に狭めた構成となるようにしたことにより、流れ方向に概ね平行な脱臭素子を通過する流速を前記流路の幅により細かく調整することができ、より均一な流速とし、第１の発明の効果を更に高めることができる。
【００１１】
第３の発明は、特に、第１または第２の発明における脱臭素子は、ハニカム状の吸着素子を用いたことにより、大風量化が図れると共に、より不均一となりやすい圧力損失の少ない脱臭素子の流速を均一とし、第１の発明の効果を十分に引き出した大風量の脱臭効果の高い脱臭装置を提供することができる。
【００１２】
第４の発明は、特に、第３の発明における脱臭素子は、空気の通気方向を薄く構成したハニカム体とし、前記ハニカム体の通気面積を前記ハニカム体の通気方向の厚みで除した値を３０００以上に設定してなることにより、脱臭素子は空気流れ方向の厚さを薄くでき、風路の圧力損失を少なくできるため、風量の増加による脱臭速度の向上や、より大風量で低騒音のコンパクトな送風機での脱臭装置の構成が可能となる。
【００１３】
第５の発明は、特に、第３または第４の発明におけるハニカム状の脱臭素子は、１インチ角当たりのセル数が２５０以下としたことにより、風路の圧力損失を少なくできるため、風量の増加による脱臭速度の向上や、より大風量で低騒音のコンパクトな送風機での脱臭装置の構成が可能となる。
【００１４】
第６の発明は、特に、第１〜第５のいずれか１つの発明における送風機は、クロスフローファンを用いてなることにより、低騒音・大風量を出しやすい送風機と大風量でも流速が均一となる脱臭素子の配置とすることで、大風量で低騒音のコンパクトな高い脱臭効果を発揮する脱臭装置とすることができる。
【００１５】
以下、本発明の実施の形態について、図面を参照しながら説明する。なお、この実施の形態によって本発明が限定されるものではない。
【００１６】
（実施の形態）
図１、図２は、本発明の実施の形態における脱臭装置を示すものである。
【００１７】
図に示すように、本体ケース１は、空気の吸気口２を本体ケース１の前面下部に、空気の吹出口３を本体ケース１の上部にそれぞれ設けている。そして、本体ケース１は吸気口２から吸引した空気を通すことで空気中に含まれる臭気を除去するハニカム状の脱臭素子４と、空気を吸気口２から吸引し、吹出口３から吹出して空気を脱臭素子４に還流させる送風機５と、送風機等を制御する制御部６を備えて構成したものである。
【００１８】
脱臭素子４は、ハニカム状の多数のセルに空気を通すことで、空気中に含まれる臭気を除去する空気通気方向の厚さを薄く形成した吸着素子の四角形のハニカム体で構成し、上端部を本体ケース１の上面前端角に、下端部を本体ケース１の後面下部にそれぞれ位置させて配置している。従って、脱臭素子４は送風機５の流れの下流側に流れと概ね平行となるようにして斜めに角度をつけて設けられている。
【００１９】
また、脱臭素子４の上流側には流路と概ね平行に置かれた脱臭素子４との間隔を下流側に行くに従い幅を徐々に狭めた構成となるように風路ガイド１５を設けている。
【００２０】
また、脱臭素子４は風路の圧力損失を少なくするため、ハニカム体の通気面積をハニカム体の通気方向の厚みで除した値を３０００以上に設定し、かつ１インチ角当たりのハニカム状のセル数を２５０以下としている。
【００２１】
送風機５は、モータ７を有するクロスフローファンで構成し、脱臭素子４の上流側に設けている。
【００２２】
プレフィルター１０は、吸気口２に設けて脱臭素子４への埃詰まりを防止するもので、本体ケース１に下端部を軸支して吸気口２に手前側へ開閉自在に装着した収納カバー１１に着脱自在に収納している。フィルタ装着検知手段１２により、プレフィルター１０の装着を検知している。
【００２３】
制御部６に接続した脱臭装置の全体の操作部１３は、本体ケース１の前面に臨ませている。また、操作部１３には装置の状況を報知する報知部１４が設けられている。なお、図中の矢印は脱臭時の空気の流れを示す。
【００２４】
次に、上記のように構成された脱臭装置の動作について説明する。操作部１３より運転信号が入力されると、制御部６より入力に応じて予め設定したシーケンスに基づきモータ７に動作信号が送られる。そして、モータ７の動作により回転した送風機５は、発生した空気中の臭気を、本体ケース１の吸気口２よりプレフィルター１０を通して吸気する。
【００２５】
吸気された臭気は、本体ケース１内の徐々に風路面積の狭くなる風路ガイド１５を通り流路と概ね平行に配置された脱臭素子４を通過し脱臭される。このとき脱臭素子４は、ハニカム状の吸着素子で構成され、かつ空気の通気方向に薄く構成しているため、風路の圧力損失が少なく、脱臭素子４を通過する流速が均一となり、クロスフローファンの送風機５により低騒音で大風量の吸気により大能力の脱臭が行える。
【００２６】
また、脱臭素子４は、送風機５の真上に斜め上向きに本体ケース１内に設けているので、薄型で省スペースな配置にでき、結果として本体ケース１をコンパクトにできるとともに、吹出口３を本体ケース１の上部である高い位置に設けることができるため、本体ケース１の下部の吸気口２とのショートサーキットが起こりにくい脱臭装置とすることができる。
【００２７】
また、クロスフローファンは下流側に長い風路を確保することができるため、送風機５の性能を損なうこと無く大風量を安定して発生させることができる。
【００２８】
以上のように本実施の形態によれば、次のような作用効果を得ることができる。
【００２９】
すなわち、空気を通すことで空気中に含まれる臭気を除去する脱臭素子４と、この脱臭素子４に空気を還流させる送風機５とを本体ケース１に備え、送風機５の吸い込み側、または吹出し側の流路に概ね平行に、前記脱臭素子４を設けた脱臭装置とすることで、不均一になり易い脱臭素子４の通過流速を均一化し、均一に臭気が脱臭素子４全体を通過することにより、脱臭素子４の寿命を向上し、また局部的に流速が速くなり、脱臭材の脱臭効果が低下することが無くなり、脱臭効果の飛躍的な向上を図った脱臭装置を提供することができる。なお、圧力損失の低い脱臭素子４を使用すれば、大風量の流速の速い脱臭装置とするとともに、より偏在化しやすい流速を均一にすることで、脱臭素子の能力を飛躍的に高めた脱臭装置とすることができる。
【００３０】
また、送風機５の吸い込み側または吹出し側の流路は、流路と平行に置かれた脱臭素子４との間隔を、吸い込み側流路の上流側、または吹出し側流路の下流側に行くに従い流路の幅を徐々に狭めた構成となるように前記送風機５と脱臭素子４と送風機流路を配置したもので、流れ方向に概ね平行な脱臭素子４を通過する流速を前記流路の幅により細かく調整することができ、より均一な流速とすることで脱臭素子４の寿命を向上し、脱臭材の脱臭効果が低下することが無くなり、脱臭効果の飛躍的な向上を図った脱臭装置を提供することができるものである。
【００３１】
また、脱臭素子４はハニカム状の吸着素子を用いたことにより、風路の圧力損失を少なくできるため、風量の増加による脱臭速度の向上や、大風量化を図れると共に、より不均一となりやすい圧力損失の少ない脱臭素子４の流速を均一とし、大風量で低騒音のコンパクトな送風機で脱臭効果の高い脱臭装置を提供することができる。
【００３２】
また、脱臭素子４は空気の通気方向を薄く構成したハニカム体とし、ハニカム体の通気面積を前記ハニカム体の通気厚みで除した値を３０００以上に設定したので、脱臭素子４はハニカム体の空気流れ方向の厚さを薄くでき、風路の圧力損失を少なくできるため風量の増加による脱臭速度の向上や、より大風量で低騒音のコンパクトな送風機での脱臭装置の構成が可能となる。
【００３３】
また、ハニカム状の脱臭素子４は１インチ角当たりのセル数が２５０以下としたので、風路の圧力損失を少なくできるため風量の増加による脱臭速度の向上や、より大風量で低騒音のコンパクトな送風機での脱臭装置の構成が可能になる。
【００３４】
また、送風機５をクロスフローファンで構成したので、低騒音・大風量を出しやすい送風機と大風量でも流速が均一となる脱臭素子の配置とすることで、大風量で低騒音のコンパクトな高い脱臭効果を発揮する脱臭装置とすることができる。
【産業上の利用可能性】
【００３５】
以上のように、本発明にかかる脱臭装置は、脱臭素子を通過する流速を均一化し、脱臭素子の全体を有効に利用することで脱臭素子の寿命を向上し、また通過臭気が均一に脱臭されることにより脱臭効果の飛躍的な向上が図れるため、各種機器における脱臭装置としても有用である。
【図面の簡単な説明】
【００３６】
【図１】本発明の実施の形態１における脱臭装置の概略断面図
【図２】同脱臭装置の要部を切欠した概略正面図
【図３】従来の脱臭装置の断面図
【符号の説明】
【００３７】
１  本体ケース
２  吸気口
３  吹出口
４  脱臭素子（吸着素子）
５  送風機
６  制御部
【図１】
2005230042.tif 000003
【図２】
2005230042.tif 000004
【図３】
2005230042.tif 000005